(57)【要約】【課題】  調理器本体の内側等を十分に洗浄でき、また、他の機器に干渉することなく、トレイの取り込み及び取り出しを短時間に行うことができ、この結果、調理の作業性を向上できる加熱調理装置を提供する。【解決手段】  左側壁１１及び右側壁１２にはそれぞれ把手１３、１４が設けられた調理器本体１５と、調理器本体１５の上下方向半分より上側位置に取り外し可能に設けられた電熱ヒータ１６と、調理器本体１５の下部に配置されるトレイ１７と、調理器本体１５の上部に載置される調理物載置網１８とを備える加熱調理装置１０において、調理器本体１５の前側壁１９及び後側壁２０のいずれか一方又は双方を調理器本体１５から取り外し可能に構成した。【選択図】        図１
0003112828.tif 000002
【実用新案登録請求の範囲】
【請求項１】
左側壁及び右側壁にはそれぞれ把手が設けられた調理器本体と、該調理器本体の上下方向半分より上側位置に取り外し可能に設けられた電熱ヒータと、前記調理器本体の下部に配置されるトレイと、前記調理器本体の上部に載置される調理物載置網とを備える加熱調理装置において、
前記調理器本体の前側壁及び後側壁のいずれか一方又は双方を該調理器本体から取り外し可能に構成したことを特徴とする加熱調理装置。
【請求項２】
請求項１記載の加熱調理装置において、前記前側壁及び後側壁のいずれか一方又は双方を上部を中心に回動させて開閉可能に取付けて前記トレイを横出し可能としたことを特徴とする加熱調理装置。
【請求項３】
請求項１及び２のいずれか１項に記載の加熱調理装置において、前記調理器本体の前記左側壁及び右側壁の前後両側の上部をそれぞれ補強部材で連結したことを特徴とする加熱調理装置。
【請求項４】
請求項３記載の加熱調理装置において、前記前側壁及び後側壁のいずれか一方又は双方には、前記補強部材に掛止可能な鉤状の掛止片を設けたことを特徴とする加熱調理装置。
【請求項５】
請求項１〜３のいずれか１項に記載の加熱調理装置において、前記前側壁、後側壁、左側壁及び右側壁はそれぞれ二重構造となって、内壁がステンレス材によって構成されていることを特徴とする加熱調理装置。
【請求項６】
請求項５記載の加熱調理装置において、前記二重構造の前側壁、後側壁、左側壁及び右側壁は中を下から上に空気が抜ける構造となって、前記前側壁及び後側壁の外壁はステンレス材からなり、前記左側壁及び右側壁の外壁は耐熱性樹脂からなることを特徴とする加熱調理装置。
【請求項７】
請求項６記載の加熱調理装置において、前記左側壁及び右側壁の外壁の前後両側は下方に突出し、脚部が形成されていることを特徴とする加熱調理装置。
【考案の詳細な説明】
【技術分野】
【０００１】
本考案は、例えば、魚や肉等の調理物を焼き網等の調理物載置網の上に載せて加熱調理する加熱調理装置に関する。
【背景技術】
【０００２】
従来、例えば、魚や肉等の調理物をプレートの上に載せて加熱調理する加熱調理装置として、特許文献１に記載のものが知られている。
特許文献１に記載の加熱調理装置においては、上向きに開く箱形の調理器本体の上部に肉を載せる多数のスリットが形成されたプレートが配置され、プレートの下方には、肉を加熱するヒータが配置され、更に、ヒータの下方には、調理時に発生しスリットを介して落下した脂を溜めるトレイが配置されている。
調理後、トレイはプレートと一緒に又は別々に、調理器本体の上部から取り出し、また、調理器本体に取付けられたヒータや調理器本体の内側を洗浄する場合、調理器本体の上部開口から行っている。
【０００３】
【特許文献１】実開平３−９３２号公報
【考案の開示】
【考案が解決しようとする課題】
【０００４】
しかしながら、前記特許文献１に記載の加熱調理装置においては、調理器本体の上部開口からヒータや調理器本体の内側を洗浄するので、十分な洗浄ができないという問題があった。
また、調理前にトレイを調理器本体に取り込んだり、又は調理後、トレイを調理器本体から取り出したりする際、トレイの上方のヒータ及びプレートに干渉しないようにする必要があるため、調理前の準備及び調理後の後片付けに時間を要し、調理の作業性が悪かった。
【０００５】
本考案はかかる事情に鑑みてなされたもので、調理器本体の内側等を十分に洗浄でき、また、他の機器に干渉することなく、トレイの取り込み及び取り出しを短時間に行うことができ、この結果、調理の作業性を向上できる加熱調理装置を提供することを目的とする。
【課題を解決するための手段】
【０００６】
前記目的に沿う本考案に係る加熱調理装置は、左側壁及び右側壁にはそれぞれ把手が設けられた調理器本体と、該調理器本体の上下方向半分より上側位置に取り外し可能に設けられた電熱ヒータと、前記調理器本体の下部に配置されるトレイと、前記調理器本体の上部に載置される調理物載置網とを備える加熱調理装置において、前記調理器本体の前側壁及び後側壁のいずれか一方又は双方を該調理器本体から取り外し可能に構成している。
【０００７】
本考案に係る加熱調理装置において、前記前側壁及び後側壁のいずれか一方又は双方を上部を中心に回動させて開閉可能に取付けて前記トレイを横出し可能としてもよい。
本考案に係る加熱調理装置において、前記調理器本体の前記左側壁及び右側壁の前後両側の上部をそれぞれ補強部材で連結してもよい。
本考案に係る加熱調理装置において、前記前側壁及び後側壁のいずれか一方又は双方には、前記補強部材に掛止可能な鉤状の掛止片を設けてもよい。
【０００８】
本考案に係る加熱調理装置において、前記前側壁、後側壁、左側壁及び右側壁はそれぞれ二重構造となって、内壁がステンレス材によって構成されてもよい。
本考案に係る加熱調理装置において、前記二重構造の前側壁、後側壁、左側壁及び右側壁は中を下から上に空気が抜ける構造となって、前記前側壁及び後側壁の外壁はステンレス材からなり、前記左側壁及び右側壁の外壁は耐熱性樹脂からなってもよい。
本考案に係る加熱調理装置において、前記左側壁及び右側壁の外壁の前後両側は下方に突出し、脚部が形成されてもよい。
【考案の効果】
【０００９】
請求項１〜７記載の加熱調理装置においては、電熱ヒータが調理器本体に取り外し可能に設けられ、調理器本体の前側壁及び後側壁のいずれか一方又は双方は調理器本体から取り外し可能であるので、調理器本体の前側及び後側から他の部材に干渉されることなく調理器本体内部等を十分に洗浄でき、これにより高い衛生状態を確保することができる。
【００１０】
特に、請求項２記載の加熱調理装置においては、前側壁及び後側壁のいずれか一方又は双方を上部を中心に回動させて開閉可能に取付けてトレイを横出し可能としているので、前側壁及び後側壁のいずれか一方又は双方を、調理器本体に取付けたままの状態で開けてトレイを横出し及び横入れができ、この結果、調理の作業性が向上する。
請求項３記載の加熱調理装置においては、調理器本体の左側壁及び右側壁の前後両側の上部をそれぞれ補強部材で連結しているので、調理器本体を剛性が大きく、しかも、軽量に構成することができる。更に、トレイを出し入れする空間を大きく取れる。
【００１１】
請求項４記載の加熱調理装置においては、前側壁及び後側壁のいずれか一方又は双方には、補強部材に掛止可能な鉤状の掛止片を設けているので、補強部材を利用して前側壁及び後側壁のいずれか一方又は双方の取り外し及び開閉ができ、これにより、取り外し機構及び開閉機構をコンパクトに構成することができる。
請求項５記載の加熱調理装置においては、前側壁、後側壁、左側壁及び右側壁はそれぞれ二重構造となって、内壁がステンレス材によって構成されているので、断熱効果がよく、加熱能力が向上する。
【００１２】
請求項６記載の加熱調理装置においては、二重構造の前側壁、後側壁、左側壁及び右側壁は中を下から上に空気が抜ける構造となって、前側壁及び後側壁の外壁はステンレス材からなり、左側壁及び右側壁の外壁は耐熱性樹脂からなっているので、外壁の冷却効果がよく、火傷の恐れが無く、しかも、調理器本体を軽量に形成することができる。
請求項７記載の加熱調理装置においては、左側壁及び右側壁の外壁の前後両側は下方に突出し、脚部が形成されているので、容器本体の設置時の安定性が向上する。
【考案を実施するための最良の形態】
【００１３】
続いて、添付した図面を参照しつつ、本考案を具体化した実施の形態につき説明し、本考案の理解に供する。
ここで、図１は本考案の一実施の形態に係る加熱調理装置の前側壁が取り外された状態を示す一部省略斜視図、図２は同加熱調理装置の一部省略平面図、図３は同加熱調理装置の正面図、図４は同加熱調理装置の調理器本体の右側面図、図５は同加熱調理装置の調理器本体の左側面図である。
【００１４】
図１〜図３に示すように、本考案の一実施の形態に係る加熱調理装置１０は、前側壁１９、後側壁２０、左側壁１１及び右側壁１２を有し、左側壁１１及び右側壁１２にはそれぞれ把手１３、１４が設けられた調理器本体１５と、調理器本体１５の上下方向半分より上側位置に取り外し可能に設けられた電熱ヒータ１６と、調理器本体１５の下部に配置されるトレイ１７と、調理器本体１５の上部に載置される調理物載置網１８とを備えており、調理器本体１５の前側壁１９及び後側壁２０の双方を調理器本体１５から取り外し可能に構成している。以下、これらについて詳細に説明する。
【００１５】
調理器本体１５の左側壁１１及び右側壁１２は二重構造となって、それぞれの内壁２１、２２がステンレス材によって構成されており、内壁２１、２２の外側を覆う外壁２３、２４は耐熱性樹脂の一例であるフェノール樹脂からなっている。正面視して矩形状に形成された内壁２１、２２は平行間隔をあけて左右に対向して配置されており、内壁２１、２２の下端は、トレイ１７が載置される矩形状の底板２５の左右両端に一体的に固定されている。
【００１６】
内壁２１、２２の上端にはそれぞれ、内壁２１、２２に直交して外側に水平に突出した幅狭の端板２６、２７が連結されている。底板２５、内壁２１、２２及び端板２６、２７からなる溝形、即ち、断面が略コ字状のフレーム２８は、本実施の形態では、一枚のステンレス製の厚みがｔ1 （例えば、０．５〜２ｍｍ）の薄板から曲げ加工により形成されている。なお、フレーム２８の縁部は安全を考慮して内側に折り曲げられたエッジ処理が施されている。
【００１７】
左側壁１１の内壁２１及び右側壁１２の内壁２２の前後両側の上部はそれぞれ、左右方向に沿って水平に配置された外径がｄ（例えば、２〜６ｍｍ）の棒状の補強部材２９、３０により連結されている。
【００１８】
調理器本体１５の前側壁１９及び後側壁２０はそれぞれ、フレーム２８の開口部分を覆うことができるように構成されている。前側壁１９（後側壁２０も同じ）は、内壁を構成する略矩形状の内側垂直板３１と、内側垂直板３１の外側に間隔Ｋ（例えば、５〜１５ｍｍで、本実施の形態では、１０ｍｍ）をあけて配置され、内側垂直板３１の左右両端部にその左右両端部が固定されて内壁と一体的になった外壁を構成する略矩形状の外側垂直板３２とを有している。図示するように、それぞれステンレス製で厚みがｔ2 （例えば、０．５〜２ｍｍ）の薄板からなる内側垂直板３１及び外側垂直板３２の中央部は大きな曲率半径で外側に彎曲している。
【００１９】
前側壁１９及び後側壁２０の左右両端部の上部内側にはそれぞれ、補強部材２９、３０に掛止可能な鉤状の掛止片３３、３４が設けられている。掛止片３３、３４は棒材を曲げ加工してコ字状に形成されており、対向する二辺の一辺が前側壁１９及び後側壁２０の内側垂直板３１に溶接により固定されている。かかる構成によって、前側壁１９及び後側壁２０を補強部材２９、３０を介して調理器本体１５から取り外したり、また、取付けることができ、しかも、前側壁１９及び後側壁２０を補強部材２９、３０を中心に回動させて開閉して、この結果、トレイ１７を横出し及び横入れすることができる。しかも、前側壁１９及び後側壁２０はそれぞれ二重構造に形成されているので、二重構造内部を下から上に空気Ｘが抜ける。
【００２０】
図１及び図３〜図５に示すように、左側壁１１の外壁２３、右側壁１２の外壁２４はそれぞれ、凹状に形成された把手１３、１４が設けられ、内壁２１、２２と平行間隔をあけて外側に彎曲して配置されている。そして左側壁１１、右側壁１２は、内壁２１、２２と、図示しない連結機構を介して内壁２１、２２にそれぞれ固定される外壁２３、２４と、外壁２３、２４の上端に水平に内側方向に取付けられた平面視して外形が円弧状の上水平板３６、３７とを有し、更に、外壁２３、２４の前後両側は下方に突出し、床面Ｆに当接する脚部３８、３９及び４０、４１が形成されている。
【００２１】
図３に示すように、上水平板３６、３７の内側端部とフレーム２８の端板２６、２７とは上下方向に平行間隔ｋをあけて設けられており、脚部３８、３９及び４０、４１を形成する曲げ加工された接地板４２、４３の内側先端とフレーム２８の底板２５との間にも隙間Ｓが設けられている。
【００２２】
このように、左側壁１１及び右側壁１２は外壁２３、２４及び内壁２１、２２を有して二重構造に形成されており、しかも、前側壁１９及び後側壁２０が調理器本体１５に装着された状態で、外壁２３、２４及び内壁２１、２２の前後両端間に形成される隙間はそれぞれ、前側壁１９及び後側壁２０の左右両端部により実質的に塞がれているので、左側壁１１及び右側壁１２の二重構造内部を下から上に空気Ｘが抜ける。
【００２３】
図１〜図３に示すように、トレイ１７は、フレーム２８の底板２５に当接する平面視して長方形状の底板４８と、底板４８の四辺にそれぞれ、外側に傾斜して一体的に連結された側板４９〜５２とを備えており、上方向に沿って断面積が大きくなっている。側板４９〜５２の上端はそれぞれ、安全を考慮して縁部は外側に折り曲げられたエッジ処理が施されており、前側壁１９及び後側壁２０を装着した状態の調理器本体１５の内壁２１、２２及び内側垂直板３１の近傍に位置している。
【００２４】
図２〜図５に示すように、調理器本体１５の内寸法は、長さ（左右方向）がＺ（例えば、２５〜４０ｃｍ、本実施の形態では３１ｃｍ）、幅（前後方向）がＹ（例えば、１５〜３０ｃｍ、本実施の形態では１９ｃｍ）、高さＵが（例えば、６〜９ｃｍ、本実施の形態では７．５ｃｍ）となっている。また、調理器本体１５の外形寸法は、長さがＮ（例えば、３５〜５０ｃｍ、本実施の形態では４１ｃｍ）、幅がＭ（例えば、１８〜３３ｃｍ、本実施の形態では２２ｃｍ）、高さがＴ（例えば、９〜１３ｃｍ、本実施の形態では１０ｃｍ）となっている。
【００２５】
トレイ１７は、水Ｗを入れ（一例として、３００〜５００ｃｃ、本実施の形態では、４００ｃｃ）、水Ｗの上にアルミ箔５３を敷くように構成されている。かかる構成によって、アルミ箔５３は、調理中、電熱ヒータ１６からの熱を反射して調理物載置網１８に載せられた調理物の一例である魚５４を効率よく焼くことができ、一方、焼けた魚５４から出てくる油がアルミ箔５３上に落ちても、水Ｗと接するアルミ箔５３の温度は約１００℃であるので、油が燃えることがなく、煙の発生が無い。
【００２６】
電熱ヒータ１６は、一本の棒状の素材が曲げ加工により水平面上で、図２に示すような複雑な曲線形状に形成され、調理器本体１５の内壁２２と絶縁処理されたヒータ本体５５と、ヒータ本体５５の両端部に電源を供給する電源接続部５６とを有している。電熱ヒータ１６は、オーバーホール等を考慮して、内壁２２の上部位置に取り外し可能に取付けられている。なお、ヒータ本体５５は調理器本体１５の底板２５の上面から高さＨ（例えば、４．５〜７ｃｍ、本実施の形態では５．５ｃｍ）の位置に配置されている。電熱ヒータ１６の容量は最大１５００ワットである。
【００２７】
図１〜図３に示すように、電源接続部５６と対向する調理器本体１５の内壁２１の上部位置には、ヒータ受け５７が取付けられており、ヒータ受け５７は、内壁２１に固定された固定部５８と、固定部５８の先端に中心部が固定されたコ字状の水平部５９と、水平部５９の両端にそれぞれ立設された垂直部６０、６１とを有している。ヒータ本体５５はヒータ受け５７の水平部５９の上方に位置しており、ヒータ受け５７の垂直部６０、６１はヒータ本体５５の内側に位置している。
【００２８】
調理物載置網１８は、図示しないが、棒鋼で略矩形状に形成された枠材と、枠材の長辺同士を連結し、魚５４が載置され、左右方向に間隔をあけて設けられた複数の棒状の連結材とを有している。調理物載置網１８は装着された状態の前側壁１９及び後側壁２０の上端に当接し、しかも、調理器本体１５の上水平板３６、３７の内側端の間に収まるように構成されている。ヒータ本体５５と調理物載置網１８との垂直方向の間隔をｈ（例えば、１．８〜２．８ｃｍ、本実施の形態では２．３ｃｍ）としている。なお、図１中の符号６２〜６５は、左側壁１１の内壁２１（右側壁１２の内壁２２も同じ）の上部に矩形状に形成された空気用孔を表している。
【００２９】
次に、本考案の一実施の形態に係る加熱調理装置１０の使用方法及び作用について、図を参照して説明する。なお、前側壁１９及び後側壁２０は掛止片３３、３４が補強部材２９、３０に掛止されて調理器本体１５に装着されており、トレイ１７は調理器本体１５の外にあるものとする。
調理器本体１５の外で、事前に、図３に示す要領で、トレイ１７に水Ｗを約４００ｃｃ入れ、水Ｗの上にアルミ箔５３を敷く。
【００３０】
手で前側壁１９の下端を持って、前側壁１９を、掛止片３３、３４が掛止された補強部材２９廻りに上側に回動して開いた状態にして、フレーム２８の左側壁１１の内壁２１及び右側壁１２の内壁２２の前側端部間に形成された開口の下側に、トレイ１７の水平移動可能な通路を形成して、トレイ１７を前側から後側に水平方向に移動して、調理器本体１５の底板２５上に載置する。
前側壁１９を手で支えながら元の位置に戻して、前側壁１９を閉じる。
図３に示すように、前側壁１９及び後側壁２０の上端に調理物載置網１８を載置する。
【００３１】
電熱ヒータ１６の電源接続部５６に図示しない温度調整機構付きの電源部（プラグ）を接続して、電源を供給してヒータ本体５５を加熱し、調理物載置網１８上に魚５４を載せる。
図３に示す状態でヒータ本体５５の加熱を継続する。この際、加熱されたヒータ本体５５から直接魚５４に達する放射熱ｒ、及び加熱されたヒータ本体５５からアルミ箔５３により反射されて魚５４に達する反射熱Ｒにより、効率よく、短時間で魚５４を焼くことができる。一方、焼けた魚５４から出てくる油はアルミ箔５３上に落ちるが、水Ｗと接するアルミ箔５４の温度はせいぜい１００℃であるので、この油が燃えることがなく、従って、煙が発生しないため、調理の環境が良好である。
【００３２】
また、左側壁１１、右側壁１２、前側壁１９及び後側壁２０は共に２重構造となっていて、空気Ｘが２重構造内を下から上に通過することにより、空気Ｘにより熱伝達が促進されるので、外壁２３、２４、３２は温度が高くならないため、火傷の心配が無い。
魚５４を焼いた後、電熱ヒータ１６の電源を切る。
【００３３】
上述の要領で前側壁１９を補強部材２９廻りに回動して開いた状態にして、トレイ１７をフレーム２８から横方向に取り出す。アルミ箔５３は汚れると反射率が低下するので、状況に応じて、適宜洗浄したり、交換する。また、必要に応じて、トレイ１７を洗浄する。
長期間の使用によりフレーム２８の内側が汚れていて、フレーム２８の内側を洗浄する場合には、図１に示すように、前側壁１９を下から上に持ち上げることによりフレーム２８から取り外しできる。この際、前側壁１９が装着されていないので、トレイ１７を取り除いたフレーム２８の内側をサイドから洗浄することができ、より衛生的である。必要に応じて、後側壁２０もフレーム２８から取り外すことができる。また、取り外された前側壁１９及び後側壁２０の内側垂直板３１の洗浄も容易になる。
【００３４】
本考案は前記した実施の形態に限定されるものではなく、本考案の要旨を変更しない範囲での変更は可能であり、例えば、前記したそれぞれの実施の形態や変形例の一部又は全部を組み合わせて本考案の加熱調理装置を構成する場合も本考案の権利範囲に含まれる。
前側壁１９及び後側壁２０を調理器本体１５から取り外し可能に構成したが、これに限定されず、必要に応じて、前側壁及び後側壁のいずれか一方を調理器本体から取り外し可能に構成することもできる。
【００３５】
前側壁１９及び後側壁２０を調理器本体１５に回動可能に取付けたが、これに限定されず、必要に応じて、前側壁及び後側壁を調理器本体から取り外し可能のみに構成することもできる。
調理器本体１５の左側壁１１及び右側壁１２の前後両側の上部をそれぞれ補強部材２９、３０で連結したが、これに限定されず、状況に応じて、例えば、フレームの板厚が厚く十分な剛性を有する場合には、補強部材を省略することもできる。
【００３６】
前側壁１９及び後側壁２０の取り外し及び回動のために、掛止片３３、３４が掛止可能な補強部材２９、３０を設けたが、これに限定されず、必要に応じて、別の構造、例えば、補強部材の中間部を取り除いて、左側壁１１及び右側壁１２に取付けた短い掛止棒を介して前側壁及び後側壁の取り外し及び回動を行うようにすることもできる。
前側壁１９、後側壁２０、左側壁１１及び右側壁１２はそれぞれ二重構造となって、内壁をステンレス材によって構成したが、これに限定されず、必要に応じて、前側壁、後側壁、左側壁及び右側壁を一重構造とし、しかも、内壁を別の材料で構成することもできる。
【００３７】
二重構造の前側壁１９、後側壁２０、左側壁１１及び右側壁１２は中を下から上に空気が抜ける構造となって、前側壁１９及び後側壁２０の外壁３２はステンレス材からなり、左側壁１１及び右側壁１２の外壁２３、２４はフェノール樹脂からなるように構成したが、これに限定されず、必要に応じて、前側壁、後側壁、左側壁及び右側壁の外壁の材質をそれぞれ別の材質とすることもできる。また、耐熱性樹脂としてフェノール樹脂を用いたが、これに限定されず、状況に応じて、その他の耐熱性樹脂を使用することもできる。
【００３８】
左側壁１１及び右側壁１２の外壁２３、２４の前後両側は下方に突出し、脚部３８、３９及び４０、４１を形成したが、これに限定されず、必要に応じて、脚部を省略することもできる。
調理物として魚５４を用いたが、これに限定されず、必要に応じて、その他の調理物、例えば、肉や貝等を用いてもよい。
【００３９】
把手１３、１４は左側壁１１及び右側壁１２の外壁２３、２４に一体的に形成したが、これに限定されず、必要に応じて、外壁とは別に設けることもできる。
トレイ１７には水Ｗを入れ、水Ｗの上にアルミ箔５３を敷いたが、これに限定されず、必要に応じて、水又はアルミ箔の一方を用いたり、両方を省略することもできる。
【図面の簡単な説明】
【００４０】
【図１】本考案の一実施の形態に係る加熱調理装置の前側壁が取り外された状態を示す一部省略斜視図である。
【図２】同加熱調理装置の一部省略平面図である。
【図３】同加熱調理装置の正面図である。
【図４】同加熱調理装置の調理器本体の右側面図である。
【図５】同加熱調理装置の調理器本体の左側面図である。
【符号の説明】
【００４１】
１０：加熱調理装置、１１：左側壁、１２：右側壁、１３、１４：把手、１５：調理器本体、１６：電熱ヒータ、１７：トレイ、１８：調理物載置網、１９：前側壁、２０：後側壁、２１、２２：内壁、２３、２４：外壁、２５：底板、２６、２７：端板、２８：フレーム、２９、３０：補強部材、３１：内側垂直板（内壁）、３２：外側垂直板（外壁）、３３、３４：掛止片、３６、３７：上水平板、３８〜４１：脚部、４２、４３：接地板、４８：底板、４９〜５２：側板、５３：アルミ箔、５４：魚（調理物）、５５：ヒータ本体、５６：電源接続部、５７：ヒータ受け、５８：固定部、５９：水平部、６０、６１：垂直部、６２〜６５：空気用孔
【図１】
0003112828.tif 000003
【図２】
0003112828.tif 000004
【図３】
0003112828.tif 000005
【図４】
0003112828.tif 000006
【図５】
0003112828.tif 000007